(57)【要約】【課題】  無線リソースを有効に利用しながら、広告情報をマルチキャストで送信することを可能とする無線基地局及び無線通信方法を提供する。【解決手段】  無線基地局２０は、複数の無線端末１０に広告情報をマルチキャストで送信する送信部２７と、エリア内におけるトラフィック量に基づいて、広告情報に割り当てることが可能なトラフィック量である最大許容広告トラフィック量を決定するトラフィック量決定部２３と、トラフィック量決定部２３によって決定された最大許容広告トラフィック量を超えない範囲で、複数の無線端末１０のユーザの嗜好に応じて、複数の無線端末１０に送信する広告情報を選択する広告情報選択部２６とを備える。【選択図】  図２
2009100056.tif 000002
【特許請求の範囲】
【請求項１】
エリア内に在圏する複数の無線端末と無線通信を行う無線基地局であって、
前記複数の無線端末に広告情報をマルチキャストで送信する送信部と、
前記エリア内におけるトラフィック量に基づいて、前記広告情報に割り当てることが可能なトラフィック量である最大許容広告トラフィック量を決定する決定部と、
前記決定部によって決定された前記最大許容広告トラフィック量を超えない範囲で、前記複数の無線端末のユーザの嗜好に応じて、前記複数の無線端末に送信する前記広告情報を選択する選択部とを備えることを特徴とする無線基地局。
【請求項２】
前記広告情報の要求品質情報を前記複数の無線端末からそれぞれ受信する受信部をさらに備え、
前記選択部は、前記ユーザの嗜好又は前記要求品質情報に応じて、前記広告情報の送信方法を決定することを特徴とする請求項１に記載の無線基地局。
【請求項３】
前記送信部は、前記広告情報とは別に、前記複数の無線端末にマルチキャスト情報をマルチキャストで送信し、
前記選択部は、前記マルチキャスト情報の送信実績に応じて、前記ユーザの嗜好を特定して、前記複数の無線端末に送信する前記広告情報を選択することを特徴とする請求項１に記載の無線基地局。
【請求項４】
前記選択部は、前記広告情報の送信実績に応じて、前記ユーザの嗜好を特定して、前記複数の無線端末に送信する前記広告情報を選択することを特徴とする請求項１に記載の無線基地局。
【請求項５】
前記ユーザの嗜好は、予め設定されていることを特徴とする請求項１に記載の無線基地局。
【請求項６】
前記受信部は、前記広告情報の出力実績情報を前記複数の無線端末からそれぞれ受信し、
前記選択部は、前記ユーザの嗜好に加えて、前記出力実績情報に応じて、前記複数の無線端末に送信する前記広告情報を選択することを特徴とする請求項１に記載の無線基地局。
【請求項７】
エリア内に在圏する複数の無線端末と無線通信を行う無線通信方法であって、
前記複数の無線端末に広告情報をマルチキャストで送信するステップＡと、
前記エリア内におけるトラフィック量に基づいて、前記広告情報に割り当てることが可能なトラフィック量である最大許容広告トラフィック量を決定するステップＢと、
前記ステップＢで決定された前記最大許容広告トラフィック量を超えない範囲で、前記複数の無線端末のユーザの嗜好に応じて、前記複数の無線端末に送信する前記広告情報を選択するステップＣとを含むことを特徴とする無線通信方法。
【発明の詳細な説明】
【技術分野】
【０００１】
本発明は、複数の無線端末に広告情報をマルチキャストで送信する無線基地局及び無線通信方法に関する。
【背景技術】
【０００２】
従来、複数の無線端末に送信情報をマルチキャストで送信する技術（例えば、ＭＢＭＳ；Ｍｕｌｔｉｍｅｄｉａ  Ｂｒｏａｄｃａｓｔ  Ｍｕｌｔｉｃａｓｔ  Ｓｅｒｖｉｃｅ）が知られている。
【０００３】
ここで、無線端末から送信要求を受けなくても、複数の無線端末にサーバから送信情報を送信するサービスが知られている。このようなサービスでは、ユーザの嗜好（プリファレンス）に応じて、複数の無線端末に送信情報を送信することが好ましい（例えば、特許文献１）。
【０００４】
具体的には、サーバは、ユーザと関心カテゴリとを対応付けるテーブルと、送信情報と関心カテゴリとを対応付けるテーブルとを有する。サーバは、一の関心カテゴリに属する複数のユーザ（無線端末）に、一の関心カテゴリに対応する送信情報を送信する。サーバは、ネットワーク資源を有効に利用するために、無線基地局を経由して複数の無線端末に送信情報をマルチキャストで送信することが好ましい。
【０００５】
例えば、送信情報としては、商品やサービスなどを紹介するための広告情報が考えられる。
【特許文献１】特表２００６−５０２４６７号公報（［００１６］〜［００２１］、図３、図５等）
【発明の開示】
【発明が解決しようとする課題】
【０００６】
しかしながら、ユーザの嗜好の反映とうい観点では、各ユーザに適する広告情報を個別に送信することが好ましい。すなわち、ネットワーク資源を有効に利用するために広告情報をマルチキャストで送信すると、ユーザの嗜好が十分に反映されない。従って、広告情報の送信では、各ユーザにネットワーク資源を個別に割り当てられる。
【０００７】
一方で、無線通信システムでは、無線基地局が管理するセル内におけるネットワーク資源は、無線端末と無線基地局との間においてユニキャストで送信されるトラフィック量を含めて、セル内に在圏する無線端末に配分される必要がある。
【０００８】
各無線端末に割り当て可能なネットワーク資源は、無線端末と無線基地局との間における伝搬環境、セル内における無線端末の位置、周辺セルにおけるトラフィック量などに応じて変動する。従って、各無線端末に割り当て可能なネットワーク資源を予測することが困難である。すなわち、ネットワーク資源を無線端末に個別に割り当てたとしても、広告情報を無線端末が適切なタイミングで受信することができないケースが想定され、ネットワーク資源が浪費される可能性がある。
【０００９】
これに加えて、無線通信システムでは、無線周波数が有限であり、無線周波数が無線通信以外にも用いられるため、有線通信ネットワークに比べてネットワーク資源の確保が難しい。従って、無線通信システムでネットワーク資源が浪費されることは、非常に好ましくない。
【００１０】
そこで、本発明は、上述した課題を解決するためになされたものであり、無線通信システムにおいてネットワーク資源の浪費を抑制しながら、各ユーザに適した広告情報を送信することを可能とする無線基地局及び無線通信方法を提供することを目的とする。
【課題を解決するための手段】
【００１１】
本発明の一の特徴では、エリア内に在圏する複数の無線端末と無線通信を行う無線基地局は、前記複数の無線端末に広告情報をマルチキャストで送信する送信部（送信部２７）と、前記エリア内におけるトラフィック量に基づいて、前記広告情報に割り当てることが可能なトラフィック量である最大許容広告トラフィック量を決定する決定部（トラフィック量決定部２３）と、前記決定部によって決定された前記最大許容広告トラフィック量を超えない範囲で、前記複数の無線端末のユーザの嗜好に応じて、前記複数の無線端末に送信する前記広告情報を選択する選択部（広告情報選択部２６）とを備える。
【００１２】
かかる特徴によれば、エリア内におけるトラフィック量に基づいて決定された最大許容広告トラフィック量を超えない範囲で、ユーザの嗜好に応じて広告情報を選択するため、無線通信システムにおいてネットワーク資源の浪費を抑制しながら、ユーザの嗜好を考慮して、各ユーザに適した広告情報を送信することができる。
【００１３】
本発明の上述した特徴において、無線基地局は、前記広告情報の要求品質情報を前記複数の無線端末からそれぞれ受信する受信部（受信部２１−１）をさらに備え、前記選択部は、前記ユーザの嗜好又は前記要求品質情報に応じて、前記広告情報の送信方法を決定することが好ましい。
【００１４】
本発明の上述した特徴において、前記送信部は、前記広告情報とは別に、前記複数の無線端末にマルチキャスト情報をマルチキャストで送信し、前記選択部は、前記マルチキャスト情報の送信実績に応じて、前記ユーザの嗜好を特定して、前記複数の無線端末に送信する前記広告情報を選択することが好ましい。
【００１５】
本発明の上述した特徴において、前記選択部は、前記広告情報の送信実績に応じて、前記ユーザの嗜好を特定して、前記複数の無線端末に送信する前記広告情報を選択することが好ましい。
【００１６】
本発明の上述した特徴において、前記ユーザの嗜好は、予め設定されていることが好ましい。
【００１７】
本発明の上述した特徴において、前記受信部は、前記広告情報の出力実績情報を前記複数の無線端末からそれぞれ受信し、前記選択部は、前記ユーザの嗜好に加えて、前記出力実績情報に応じて、前記最大許容広告トラフィック量を決定することが好ましい。
【００１８】
本発明の一の特徴では、エリア内に在圏する複数の無線端末と無線通信を行う無線通信方法は、前記複数の無線端末に広告情報をマルチキャストで送信するステップＡと、前記エリア内におけるトラフィック量に基づいて、前記広告情報に割り当てることが可能なトラフィック量である最大許容広告トラフィック量を決定するステップＢと、前記ステップＢで決定された前記最大許容広告トラフィック量を超えない範囲で、前記複数の無線端末のユーザの嗜好に応じて、前記複数の無線端末に送信する前記広告情報を選択するステップＣとを含む。
【発明の効果】
【００１９】
本発明によれば、無線通信システムにおいてネットワーク資源の浪費を抑制しながら、各ユーザに適した広告情報を送信することを可能とする無線基地局及び無線通信方法を提供することができる。
【発明を実施するための最良の形態】
【００２０】
以下において、本発明の実施形態に係る通信システムについて、図面を参照しながら説明する。なお、以下の図面の記載において、同一又は類似の部分には、同一又は類似の符号を付している。
【００２１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２２】
［第１実施形態］
（通信システムの構成）
以下において、第１実施形態に係る通信システムの構成について、図面を参照しながら説明する。図１は、第１実施形態に係る通信システムの構成を示す図である。
【００２３】
図１に示すように、通信システムは、複数の無線端末１０（無線端末１０Ａ及び無線端末１０Ｂ）と、無線基地局２０と、ネットワーク３０と、情報配信サーバ４０とを有する。
【００２４】
無線端末１０は、携帯電話やＰＤＡなどの端末である。無線端末１０は、ユニキャスト情報、マルチキャスト情報や広告情報を無線基地局２０から受信する。ここで、ユニキャスト情報は、例えば、メール情報、ウェブ閲覧情報、ＦＴＰ情報などである。マルチキャスト情報は、例えば、映像や楽曲などのコンテンツ情報である。広告情報は、例えば、商品やサービスなどを紹介するための情報である。
【００２５】
無線端末１０は、要求品質情報を無線基地局２０に送信する。ここで、要求品質情報は、ユニキャスト情報、マルチキャスト情報及び広告情報などに要求される品質（伝送レート、変調方式、符号化方式など）を示す情報である。
【００２６】
具体的には、無線端末１０は、無線基地局２０から受信する信号の受信品質（ＳＩＲ；Ｓｉｇｎａｌ  ｔｏ  Ｉｎｔｅｒｆｅｒｅｎｃｅ  Ｒａｔｉｏなど）に基づいて要求品質情報を生成する。無線端末１０は、無線基地局２０によって管理されるエリア内干渉やエリア間干渉を考慮してもよい。
【００２７】
なお、要求品質情報の生成にあたって、受信品質（ＳＩＲ）を用いることは必須ではない。要求品質情報は、予め定められた変調方式や符号化方式（ＭＳＣ）に応じて生成されてもよい。
【００２８】
無線基地局２０は、エリア内に在圏する無線端末１０と無線通信を行う。具体的には、無線基地局２０は、マルチキャスト情報や広告情報をマルチキャストで無線端末１０に送信する。無線基地局２０は、ユニキャスト情報をユニキャストで無線端末１０に送信する。無線基地局２０は、要求品質情報を無線端末１０から受信する。なお、無線基地局２０の詳細については後述する（図２を参照）。
【００２９】
情報配信サーバ４０は、ネットワーク３０を介して無線基地局２０と接続されている。情報配信サーバ４０は、マルチキャスト情報や広告情報を管理しており、マルチキャスト情報や広告情報を配信する。具体的には、情報配信サーバ４０は、無線基地局２０を介してマルチキャスト情報や広告情報を無線端末１０に配信する。
【００３０】
（無線基地局の構成）
以下において、第１実施形態に係る無線基地局の構成について、図面を参照しながら説明する。図２は、第１実施形態に係る無線基地局２０の構成を示すブロック図である。
【００３１】
図２に示すように、無線基地局２０は、受信部２１−１と、受信部２１−２と、送信バッファ２２と、トラフィック量決定部２３と、属性情報判定部２４と、広告情報記憶部２５と、広告情報選択部２６と、送信部２７とを有する。
【００３２】
受信部２１−１は、要求品質情報を無線端末１０から無線回線を介して受信する。受信部２１−２は、ユニキャスト情報、マルチキャスト情報及び広告情報を情報配信サーバ４０から有線回線を介して受信する。
【００３３】
送信バッファ２２は、エリア内に在圏する無線端末１０に送信すべき情報を記憶するバッファである。例えば、送信バッファ２２は、ユニキャスト情報、マルチキャスト情報及び広告情報などを記憶する。
【００３４】
トラフィック量決定部２３は、エリア内における最大許容トラフィック量とエリア内におけるトラフィック量に基づいて、マルチキャストで送信する広告情報に割り当てることが可能な無線リソース（すなわち、最大許容広告トラフィック量）を決定する。
【００３５】
ここで、エリア内における最大許容トラフィック量は、エリア内において、ユニキャスト情報、マルチキャスト情報及び広告情報に割り当て可能な最大のトラフィック量である。一方で、エリア内におけるトラフィック量は、エリア内において、各無線端末１０に現に送信されているユニキャスト情報及びマルチキャスト情報などを含むトラフィック量である。
【００３６】
具体的には、トラフィック量決定部２３は、送信バッファ２２に記憶された情報のバッファ量に基づいて、エリア内におけるトラフィック量を算出してもよい。トラフィック量決定部２３は、一定期間において各無線端末１０に既に送信したトラフィック量（送信トラフィック量）に基づいて、エリア内におけるトラフィック量を算出してもよい。トラフィック量決定部２３は、ユニキャスト情報及びマルチキャスト情報などに対応する要求品質情報に基づいて、エリア内におけるトラフィック量を算出してもよい。
【００３７】
続いて、トラフィック量決定部２３は、エリアにおける最大許容トラフィック量とエリア内におけるトラフィック量との差分に基づいて、広告情報の送信に割り当てることが可能な無線リソース（最大許容広告トラフィック量）を決定する。
【００３８】
属性情報判定部２４は、ユーザの嗜好に対応する広告情報をユーザ毎に管理する嗜好管理テーブルを有する。
【００３９】
例えば、属性情報判定部２４は、図３に示すように、ユーザの嗜好に対応する広告情報をユーザ名と対応付けるテーブルを有する。ここで、ユーザの嗜好に対応する広告情報は、第１希望〜第３希望などのように、ユーザが希望している広告情報の送信優先度を含む。ここでは、ユーザの嗜好に対応する広告情報は、ユーザが最も希望している広告情報を示す第１希望、ユーザが２番目に希望している広告情報を示す第２希望、ユーザが３番目に希望している広告情報を示す第３希望などを含む。
【００４０】
また、属性情報判定部２４は、図４に示すように、図３に示した内容に加えて、各ユーザからの要求品質情報（図４では、各無線端末１０に適用可能な変調方式）をユーザ名と対応付ける嗜好管理テーブルを有していてもよい。
【００４１】
なお、ユーザの嗜好に対応する広告情報は、予め定められていてもよい。例えば、ユーザの嗜好に対応する広告情報は、各無線端末１０に設定された情報（性別、年齢、趣味など）を各無線端末１０から収集することによって特定されてもよい。
【００４２】
また、ユーザの嗜好に対応する広告情報は、現在又は過去において複数の無線端末１０にマルチキャストで送信されたマルチキャスト情報の送信実績（種類や頻度など）に応じて特定されてもよい。例えば、スポーツに関するコンテンツがマルチキャストで配信されている頻度が所定閾値よりも高い場合には、ユーザの嗜好に対応する広告情報は、スポーツに関する広告情報であると特定されてもよい。
【００４３】
さらに、ユーザの嗜好に対応する広告情報は、現在又は過去において複数の無線端末１０に送信された広告情報の送信実績（種類や頻度など）に応じて特定されてもよい。例えば、スポーツに関する広告情報が配信されている頻度が所定閾値よりも高い場合には、ユーザの嗜好に対応する広告情報は、スポーツに関する広告情報であると特定されてもよい。
【００４４】
広告情報記憶部２５は、情報配信サーバ４０から受信部２１−２を介して受信した広告情報を記憶する。
【００４５】
広告情報選択部２６は、トラフィック量決定部２３によって決定された最大許容広告トラフィック量を超えない範囲で、複数の無線端末１０にマルチキャストで送信する広告情報を選択する。
【００４６】
具体的には、広告情報選択部２６は、広告情報記憶部２５に記憶された広告情報の中から、属性情報判定部２４によって管理されているユーザの嗜好に対応する広告情報を選択する。
【００４７】
例えば、広告情報選択部２６は、各ユーザが希望している広告情報の送信優先度に応じて、マルチキャストで送信する広告情報を選択してもよい。
【００４８】
具体的には、嗜好管理テーブルが図３に示すテーブルであるケースについて考える。なお、図３では、第１希望の広告情報に重付値“３”が設定されており、第２希望の広告情報に重付値“２”が設定されており、第３希望の広告情報に重付値“１”が設定されている。
【００４９】
広告情報１は、ユーザＡ及びユーザＢにとって第１希望の広告情報であり、ユーザＣ〜ユーザＥにとって第２希望の広告情報である。従って、全ユーザの広告情報１に対する重付値の合計は“１２”である。
【００５０】
広告情報２は、ユーザＣ及びユーザＤにとって第１希望の広告情報であり、ユーザＡ及びユーザＢにとって第２希望の広告情報であり、ユーザＥにとって第３希望の広告情報である。従って、全ユーザの広告情報２に対する重付値の合計は“１１”である。
【００５１】
広告情報３は、ユーザＥにとって第１希望の広告情報であり、ユーザＡ〜ユーザＤにとって第３希望の広告情報である。従って、全ユーザの広告情報３に対する重付値の合計は“９”である。
【００５２】
このように、広告情報１に対する重付値の合計が最も大きく、広告情報２に対する重付値の合計は２番目に大きく、広告情報３に対する重付値の合計は最も小さい。
【００５３】
従って、広告情報選択部２６は、１本の広告トラフィック量が最大許容広告トラフィック量内に収まる場合には、広告情報１のみを選択する。また、広告情報選択部２６は、２本の広告トラフィック量が最大許容広告トラフィック量内に収まる場合には、広告情報１及び広告情報２を選択する。さらに、広告情報選択部２６は、３本の広告トラフィック量が最大許容広告トラフィック量内に収まる場合には、広告情報１〜広告情報３を選択する。
【００５４】
ここで、広告情報選択部２６は、最大許容広告トラフィック量及びユーザの嗜好に応じて、広告情報の送信方法（マルチキャストで送信するか、ユニキャストで送信するか）を決定してもよい。
【００５５】
例えば、図３に示す嗜好管理テーブルにおいて、３本の広告トラフィック量が最大許容広告トラフィック量内に収まるケースについて考える。広告情報選択部２６は、広告情報１及び広告情報２が複数のユーザにとって第１希望であるため、広告情報１及び広告情報２をマルチキャストで送信すると決定する。一方で、広告情報選択部２６は、広告情報３が単数のユーザにとって第１希望であるため、広告情報３をユーザＡ〜ユーザＤに送信せずに、広告情報３をユニキャストでユーザＥに送信すると決定する。
【００５６】
また、広告情報選択部２６は、広告情報に対応する要求品質情報（伝送レート、変調方式、符号化方式など）がユーザ毎に異なる場合には、要求品質情報に応じて広告情報の送信方法（伝送レート、変調方式、符号化方式など）を決定してもよい。
【００５７】
具体的には、嗜好管理テーブルが図４に示すテーブルであるケースについて考える。図４では、広告情報１は、ユーザＡ及びユーザＢにとって第１希望の広告情報である。広告情報２は、ユーザＣ〜ユーザＤにとって第１希望の広告情報である。広告情報３は、ユーザＡ〜ユーザＤにとって第２希望の広告情報である。また、ユーザＡ〜ユーザＣに適用可能な変調方式は１６ＱＡＭであり、ユーザＤに適用可能な変調方式はＱＰＳＫである。
【００５８】
ここで、３本の広告トラフィック量が最大許容広告トラフィック量内に収まるケースについて考える。このケースでは、広告情報選択部２６は、ユーザＡ及びユーザＢにマルチキャストで送信する広告情報として広告情報１を選択する。広告情報選択部２６は、ユーザＣ及びユーザＤにマルチキャストで送信する広告情報として広告情報２を選択する。広告情報選択部２６は、ユーザＡ〜ユーザＤにマルチキャストで送信する広告情報として広告情報３を選択する。
【００５９】
続いて、ユーザＡ及びユーザＢに適用可能な変調方式がともに１６ＱＡＭであるため、広告情報選択部２６は、広告情報１の送信方法（変調方式）を１６ＱＡＭに決定する。一方で、ユーザＣに適用可能な変調方式は１６ＱＡＭであるが、ユーザＤに適用可能な変調方式はＱＰＳＫであるため、広告情報選択部２６は、広告情報２の送信方法（変調方式）をＱＰＳＫに決定する。同様に、ユーザＡ〜ユーザＣに適用可能な変調方式は１６ＱＡＭであるが、ユーザＤに適用可能な変調方式はＱＰＳＫであるため、広告情報選択部２６は、広告情報３の送信方法（変調方式）をＱＰＳＫに決定する。
【００６０】
送信部２７は、マルチキャスト情報や広告情報を複数の無線端末１０にマルチキャストで送信する。なお、送信部２７は、マルチキャスト情報及び広告情報を別々に送信する。また、送信部２７は、広告情報をユニキャストで送信すると決定された場合には、無線端末１０に広告情報をユニキャストで送信してもよい。
【００６１】
（通信システムの動作）
以下において、第１実施形態に係る通信システムの動作について、図面を参照しながら説明する。図５は、第１実施形態に係る通信システムの動作を示すシーケンス図である。
【００６２】
図５に示すように、ステップ１０において、情報配信サーバ４０は、マルチキャスト情報や広告情報を無線基地局２０に送信する。無線基地局２０は、マルチキャスト情報や広告情報を記憶する。
【００６３】
ステップ１１において、無線端末１０Ａは、無線基地局２０から受信する信号の受信品質などに基づいて、マルチキャスト情報、ユニキャスト情報及び広告情報に対応する要求品質情報を生成する。続いて、無線端末１０Ａは、要求品質情報を無線基地局２０に送信する。
【００６４】
ステップ１２において、無線端末１０Ｂは、無線基地局２０から受信する信号の受信品質などに基づいて、マルチキャスト情報、ユニキャスト情報及び広告情報に対応する要求品質情報を生成する。続いて、無線端末１０Ｂは、要求品質情報を無線基地局２０に送信する。
【００６５】
ステップ１３において、無線基地局２０は、エリア内における最大許容トラフィック量とエリア内におけるトラフィック量とに基づいて、マルチキャストで送信する広告情報に割り当てることが可能な無線リソース（最大許容広告トラフィック量）を決定する。
【００６６】
ステップ１４において、無線基地局２０は、ステップ１３で決定された最大許容広告トラフィック量を超えない範囲で、マルチキャストで送信する広告情報を選択する。ここで、無線基地局２０は、広告情報記憶部２５に記憶された広告情報の中から、ユーザの嗜好に対応する広告情報を選択する。
【００６７】
ここで、無線基地局２０は、上述したように、各ユーザが希望している広告情報の送信優先度に応じて、全ユーザにマルチキャストで送信する広告情報を選択してもよい。また、無線基地局２０は、広告情報に対応する要求品質情報（伝送レート、変調方式、符号化方式など）に応じて、広告情報の送信方法（伝送レート、変調方式、符号化方式など）を選択してもよい。さらに、無線基地局２０は、最大許容広告トラフィック量及びユーザの嗜好に応じて、広告情報をマルチキャストで送信するか、広告情報をユニキャストで送信するかを決定してもよい。
【００６８】
ステップ１５において、無線基地局２０は、ステップ１４で選択された広告情報をマルチキャストで送信する。なお、無線基地局２０は、ステップ１４で選択された広告情報をユニキャストで送信してもよい。
【００６９】
（作用及び効果）
第１実施形態に係る無線基地局２０によれば、トラフィック量決定部２３は、エリア内における最大許容トラフィック量とエリア内におけるトラフィック量とに基づいて最大許容広告トラフィック量を決定する。広告情報選択部２６は、最大許容広告トラフィック量を超えない範囲で、複数の無線端末１０のユーザの嗜好に応じて、複数の無線端末１０に送信する広告情報を選択する。従って、無線通信システムにおいてネットワーク資源の浪費を抑制しながら、各ユーザに適した広告情報を送信することができる。
【００７０】
［第２実施形態］
以下において、第２実施形態について図面を参照しながら説明する。以下においては、上述した第１実施形態と第２実施形態との相違点について主として説明する。
【００７１】
具体的には、上述した第１実施形態では特に触れていないが、第２実施形態では、無線端末１０は、広告情報を記憶する広告用メモリを有しており、無線基地局２０は、最大許容広告トラフィック量の時間的な変化を考慮して、無線端末１０が広告情報の表示タイミングよりも前に、その広告情報を無線端末１０に送信する。
【００７２】
（無線端末の構成）
以下において、第２実施形態に係る無線端末の構成について、図面を参照しながら説明する。図６は、第２実施形態に係る無線端末１０を示す図である。
【００７３】
図６に示すように、無線端末１０は、受信部１１と、送信部１２と、広告用メモリ１３と、表示部１４とを有する。
【００７４】
受信部１１は、ユニキャスト情報、マルチキャスト情報及び広告情報などを無線基地局２０から受信する。
【００７５】
送信部１２は、ユニキャスト情報、マルチキャスト情報及び広告情報などに対応する要求品質情報を無線基地局２０に送信する。
【００７６】
広告用メモリ１３は、無線基地局２０から受信した広告情報を一時的に記憶する。具体的には、広告用メモリ１３は、少なくとも広告情報の表示タイミングまで広告情報を記憶するように構成されている。
【００７７】
表示部１４は、予め定められた表示タイミングで広告情報を表示する。ここで、表示部１４は、受信部１１によって受信された広告情報を広告用メモリ１３に記憶せずにそのまま表示してもよい。また、表示部１４は、広告用メモリ１３に記憶された広告情報を読み出して、読み出された広告情報を表示してもよい。
【００７８】
（背景技術１に係る広告情報の送信）
以下において、背景技術１に係る広告情報の送信について、図７を参照しながら説明する。図７は、マルチキャスト情報及び広告情報を時間多重で送信するケースについて説明するための図である。
【００７９】
図７に示すように、無線基地局は、各区間の先頭において広告情報をマルチキャストで無線端末に送信する。また、無線基地局は、広告情報の送信時間以外においてマルチキャスト情報をマルチキャストで無線端末に送信する。
【００８０】
無線端末は、広告情報及びマルチキャスト情報を受信した場合に、広告情報及びマルチキャスト情報をバッファなどに格納せずにそのまま表示する。
【００８１】
このようなケースでは、ユニキャスト情報のトラフィック量の増減によって、広告情報が無線端末に到達しない可能性がある。例えば、広告情報の送信時間において、ユニキャスト情報のトラフィック量が多いケースでは、セル内におけるトラフィック量がセル内における最大許容トラフィック量を超えることなどが考えられる。
【００８２】
（背景技術２に係る広告情報の送信）
以下において、背景技術２に係る広告情報の送信について、図８を参照しながら説明する。図８は、マルチキャスト情報及び広告情報を周波数多重で送信するケースについて説明するための図である。
【００８３】
図８に示すように、無線基地局に対して定められた基地局側区間は、無線端末に対して定められた端末側区間とタイムラグを有する。なお、無線端末に設けられたバッファなどに広告情報を一時的に記憶することによって、タイムラグは調整される。
【００８４】
無線基地局は、基地局側区間１の先頭において、広告情報を無線端末にマルチキャストで送信する。また、無線基地局は、基地局側区間１の先頭以外において、マルチキャスト情報及び広告情報を周波数多重で無線端末にマルチキャストで送信する。
【００８５】
無線端末は、端末側区間１の先頭において、基地局側区間１の先頭で送信された広告情報を表示する。また、無線端末は、端末側区間２以降の端末側区間の先頭において、マルチキャスト情報に周波数多重された広告情報を表示する。
【００８６】
ここで、マルチキャストで送信する情報に割り当て可能なトラフィック量を一定とすると、広告情報に相当するトラフィック量だけ、マルチキャスト情報に割り当てられるトラフィック量が減少してしまう。
【００８７】
（第２実施形態に係る広告情報の送信）
以下において、第２実施形態に係る広告情報の送信について、図９を参照しながら説明する。図９は、第２実施形態に係る広告情報の送信について説明するための図である。
【００８８】
図９に示すように、無線基地局２０に対して定められた基地局側区間は、無線端末１０に対して定められた端末側区間とタイムラグを有する。なお、無線端末１０に設けられた広告用メモリ１３などに広告情報を一時的に記憶することによって、タイムラグは調整される。
【００８９】
無線基地局２０は、基地局側区間１の先頭において、広告情報を無線端末１０にマルチキャストで送信する。また、無線基地局２０は、広告情報に割り当て可能な最大許容広告トラフィック量を超えない範囲で広告情報を選択した上で、広告情報を無線端末１０に送信する。
【００９０】
具体的には、無線基地局２０は、無線端末１０で広告情報を表示するタイミングよりも前に、広告情報を無線端末１０に送信する。例えば、無線基地局２０は、端末側区間２で表示される広告情報を、基地局側区間１において無線端末１０に送信する。
【００９１】
このように、無線基地局２０は、最大許容広告トラフィック量の時間的な変化を考慮して、かつ、最大許容広告トラフィック量を超えない範囲で、無線端末１０で広告情報を表示するタイミングよりも前に、広告情報を無線端末１０に送信する。
【００９２】
（作用及び効果）
第２実施形態に係る無線基地局２０によれば、無線基地局２０は、最大許容広告トラフィック量の時間的な変化を考慮して、広告情報を無線端末１０に送信する。
【００９３】
従って、上述した背景技術１のように、ユニキャスト情報のトラフィック量の増減によって、広告情報が無線端末１０に到達しない状況が生じることを抑制することができる。
【００９４】
また、上述した背景技術２のように、マルチキャスト情報に割り当てられるトラフィック量が減少することも抑制することができる。
【００９５】
すなわち、無線基地局２０は、無線通信システムにおいて、ネットワーク資源の浪費を抑制し、かつ、ネットワーク資源を効率的に用いながら、広告情報を無線端末１０に送信することができる。
【００９６】
［第３実施形態］
以下において、第３実施形態について図面を参照しながら説明する。以下においては、上述した第１実施形態及び第２実施形態と第３実施形態との相違点について主として説明する。
【００９７】
具体的には、上述した第１実施形態では特に触れていないが、第３実施形態では、無線端末１０は、第２実施形態と同様に、広告情報を記憶する広告用メモリを有しており、広告情報の表示実績情報を無線基地局２０に送信する。一方で、無線基地局２０は、広告情報の表示実績情報を複数の無線端末１０からそれぞれ受信し、エリア内におけるトラフィック量と表示実績情報とに基づいて、各無線端末１０に送信する広告情報を選択する。
【００９８】
なお、第３実施形態では、広告用メモリ１３は、上述した端末側区間（すなわち、表示区間）といった短い期間ではなくて、数時間又は数日といった長い期間に亘って広告情報を記憶しておく。
【００９９】
（通信システムの動作）
以下において、第３実施形態に係る通信システムの動作について、図面を参照しながら説明する。図１０は、第３実施形態に係る通信システムの動作を示すシーケンス図である。
【０１００】
図１０に示すように、ステップ２０において、無線基地局２０は、複数の無線端末１０に広告情報をマルチキャストで送信する。なお、無線基地局２０は、広告情報をユニキャストで送信すると決定された場合には、無線端末１０に広告情報をユニキャストで送信してもよい。
【０１０１】
ステップ２１において、無線端末１０Ａは、無線基地局２０から受信した広告情報に応じて、所定の表示期間に亘って広告情報を表示する。
【０１０２】
ステップ２２において、無線端末１０Ａは、広告情報の表示実績情報を無線基地局２０に送信する。
【０１０３】
ここで、表示実績情報は、広告情報の表示開始時刻、広告情報の表示終了時刻、広告情報の表示残り時間などである。
【０１０４】
ステップ２３において、無線端末１０Ｂは、無線基地局２０から受信した広告情報に応じて、所定の表示期間に亘って広告情報を表示する。
【０１０５】
ステップ２４において、無線端末１０Ｂは、広告情報の表示実績情報を無線基地局２０に送信する。
【０１０６】
ステップ２５において、無線基地局２０は、エリア内におけるトラフィック量とエリア内における最大許容トラフィック量との差分に応じて、広告情報に割り当てることが可能な最大許容広告トラフィック量を決定する。
【０１０７】
ステップ２６において、無線基地局２０は、各無線端末１０に送信した広告情報の送信実績と各無線端末１０から受信した表示実績情報とに基づいて、ステップ２５で決定された最大許容広告トラフィック量を超えない範囲で、各無線端末１０に送信する広告情報を選択する。
【０１０８】
具体的には、無線基地局２０（トラフィック量決定部２３）は、各無線端末１０から受信した表示実績情報に基づいて、各無線端末１０の広告用メモリ１３に記憶されている広告トラフィック量（広告情報ストック量）を算出する。広告情報ストック量は、無線基地局２０が広告情報を送信しなくても、各無線端末１０が広告情報を表示可能な残り時間である。
【０１０９】
ここで、無線基地局２０は、エリア内におけるトラフィック量が所定トラフィック閾値を超えており、無線端末１０の広告情報ストック量が所定ストック量を超えている場合には、その無線端末１０に対して広告情報を選択せずに、その無線端末１０に対して広告情報を送信しないと決定する。
【０１１０】
一方で、無線基地局２０は、エリア内におけるトラフィック量が所定トラフィック閾値を下回っており、無線端末１０の広告情報ストック量が所定ストック量を下回った場合には、最大許容広告トラフィック量を超えない範囲で、その無線端末１０に送信する広告情報を選択する。
【０１１１】
なお、無線基地局２０は、エリア内におけるトラフィック量が所定トラフィック閾値を超えており、無線端末１０の広告情報ストック量が所定ストック量を下回った場合には、広告情報に定められた所定の表示期間の延長をその無線端末１０に指示してもよい。
【０１１２】
ここで、広告情報が複数の無線端末１０にマルチキャストで送信されるケースについて考える。このケースでは、無線基地局２０は、複数の無線端末１０にマルチキャストで送信されている広告情報の表示実績情報を、複数の無線端末１０からそれぞれ受信する。
【０１１３】
従って、無線基地局２０は、複数の表示実績情報（広告情報ストック量）のうち、最もストック量が少ない広告情報ストック量を特定した上で、最もストック量が少ない広告情報ストック量に基づいて、広告情報をマルチキャストで送信するか否かを決定する。これによって、広告情報をマルチキャストで送信しているケースであっても、広告情報が途切れないように複数の無線端末１０の全てが広告情報を表示することができる。
【０１１４】
なお、ステップ２６では、無線基地局２０は、上述したステップ１４と同様に、広告情報記憶部２５に記憶された広告情報の中から、ユーザの嗜好に対応する広告情報を選択する。
【０１１５】
ステップ２７において、無線基地局２０は、ステップ２６で選択された広告情報をマルチキャストで送信する。なお、無線基地局２０は、広告情報をユニキャストで送信すると決定された場合には、無線端末１０に広告情報をユニキャストで送信してもよい。
【０１１６】
（作用及び効果）
第３実施形態に係る無線基地局２０によれば、トラフィック量決定部２３が、エリア内におけるトラフィック量に基づいて決定された最大許容広告トラフィック量を超えない範囲で、各無線端末１０から受信する表示実績情報とに基づいて、無線端末１０に送信する広告情報を選択する。従って、無線端末１０が表示する広告情報が途切れる状態が生じることを抑制しながら、広告情報を送信することができる。
【０１１７】
［第４実施形態］
以下において、第４実施形態について説明する。以下においては、上述した実施形態と第４実施形態との相違点について主として説明する。
【０１１８】
第４実施形態では、無線基地局２０が無線端末１０に送信される広告情報が複数であるケースや無線端末１０に記憶された広告情報が複数であるケースにおいて、無線端末１０が表示すべき広告情報が指定される。
【０１１９】
ここで、無線端末１０が表示すべき広告情報は、広告情報のタイトル、広告情報のジャンル、広告情報の広告主である企業名などによって指定される。なお、広告情報の指定は、無線基地局２０側で行ってもよく、無線端末１０側で行ってもよい。
【０１２０】
無線端末１０側で広告情報の指定を行うケースでは、広告情報のタイトル、広告情報のジャンル、広告情報の広告主である企業名などが無線基地局２０から無線端末１０に通知される。
【０１２１】
無線基地局２０は、無線端末１０が表示すべき広告情報を指定するためのアルゴリズムを無線端末１０に通知してもよい。
【０１２２】
無線端末１０側においてジャンルや企業名によって広告情報が指定する場合には、無線端末１０は、指定された広告情報の中から、広告情報の表示実績（頻度など）に応じて、実際に表示すべき広告情報を決定してもよい。
【０１２３】
無線端末１０は、広告情報のタイトル、広告情報のジャンル、広告情報の広告主である企業名などを、広告情報の表示に先立って表示してもよい。ユーザは、無線端末１０に表示された情報（タイトル、ジャンル、企業名など）の中から、実際に表示すべき広告情報を選択する。
【０１２４】
［比較結果］
以下において、比較例と実施例との比較結果について、図１１を参照しながら説明する。図１１は、比較例と実施例との比較結果を説明するための図である。
【０１２５】
図１１（ａ）は、広告情報に割り当てられるトラフィック量（無線リソース）が一定であるケース（比較例）を説明するための図である。一方で、図１１（ｂ）は、広告情報に割り当てられるトラフィック量（無線リソース）が可変であるケース（実施例）を説明するための図である。
【０１２６】
図１１（ａ）に示すように、比較例では、広告情報に割り当てられるトラフィック量が一定である。無線端末１０と無線基地局２０との間で個別に送受信される情報（ユニキャスト情報）が増大すると、トラフィック量が最大許容トラフィック量を領域ａにおいて超えてしまう。
【０１２７】
これに対して、図１１（ｂ）に示すように、実施例（第１実施形態〜第３実施形態）では、広告情報に割り当てられるトラフィック量が可変である。無線端末１０と無線基地局２０との間で個別に送受信される情報（ユニキャスト情報）が増大すると、トラフィック量が最大許容トラフィック量をｂ領域において超えてしまう。
【０１２８】
ここで、図１１（ａ）に示した例とは異なり、トラフィック量が最大許容トラフィック量を超える領域ｂでは、広告情報が無線端末１０に送信されていない。従って、広告情報が無線端末１０に到達せずに、ネットワーク資源が浪費されてしまうことを抑制することができる。
【０１２９】
なお、領域ｂにおいて最大許容トラフィック量を超えるトラフィック量は、領域ａにおいて最大許容トラフィック量を超えるトラフィック量よりも少ない。従って、実施例では、トラフィック量が許容閾値を超えることによって生じる遅延が比較例よりも抑制される。
【０１３０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１３１】
例えば、上述した実施形態では特に触れていないが、最大許容広告トラフィック量は、エリア内におけるトラフィック量とエリア内における最大許容トラフィック量との差分に等しいトラフィック量であってもよく、差分から所定マージンを差し引いたトラフィック量であってもよい。
【０１３２】
上述した実施形態では特に触れていないが、ユニキャスト情報、マルチキャスト情報及び広告情報には、各情報を送信する送信優先度が設定されていてもよい。ここで、広告情報の送信優先度は、広告情報の表示タイミングと現在時刻との差分（すなわち、表示タイミングまでの残り時間）、広告情報のデータサイズによって更新される。例えば、表示タイミングまでの残り時間が短くなれば、広告情報の送信優先度が高くなる。また、広告情報のデータサイズが大きい程、広告情報の送信優先度が高い。
【０１３３】
上述した実施形態では特に触れていないが、無線基地局２０は、最大許容広告トラフィック量を十分に確保することができない場合に、広告情報の送信を中止してもよい。この場合には、表示タイミングまでの残り時間が短くなっても、広告情報の送信優先度を更新しなくてもよい。
【０１３４】
このようなケースにおいて、無線基地局２０は、広告情報の送信が中止されることを想定して、送信優先度が高い広告情報から順に広告情報を無線端末１０に送信することが好ましい。例えば、広告情報の送信相手である無線端末１０の数が多い程、広告情報の送信優先度が高い。
【０１３５】
上述した実施形態では、各無線端末１０は、広告情報を表示するように構成されているが、これに限定されるものではない。具体的には、各無線端末１０は、広告情報を音声などによって出力してもよい。このようなケースでは、第３実施形態に係る無線端末１０は、広告情報の表示実績情報ではなくて、広告情報の出力実績情報を無線基地局２０に送信する。
【０１３６】
上述した実施形態では特に触れていないが、広告情報選択部２６は、最大許容広告トラフィック量を超えない範囲であれば、広告情報の組み合わせを自由に変更してもよい。
【０１３７】
例えば、トラフィック量決定部２３によって決定された最大許容広告トラフィック量が１０Ｍｂｉｔであり、複数種類（３Ｍｂｉｔや５Ｍｂｉｔなど）の広告情報が広告情報記憶部２５に記憶されているケースについて考える。このようなケースでは、広告情報選択部２６は、３Ｍｂｉｔの広告情報を３つ選択してもよく、５Ｍｂｉｔの広告情報を２つ選択してもよい。また、広告情報選択部２６は、３Ｍｂｉｔの広告情報及び５Ｍｂｉｔの広告情報を１つずつ選択してもよい。
【０１３８】
上述した実施形態では特に触れていないが、無線端末１０は、無線回線経由だけではなくて、有線回線経由で広告情報を取得してもよい。
【図面の簡単な説明】
【０１３９】
【図１】第１実施形態に係る通信システムの構成を示す図である。
【図２】第１実施形態に係る無線基地局２０の構成を示すブロック図である。
【図３】第１実施形態に係る嗜好管理テーブルの一例を示す図である。
【図４】第１実施形態に係る嗜好管理テーブルの一例を示す図である。
【図５】第１実施形態に係る通信システムの動作を示すシーケンス図である。
【図６】第２実施形態に係る無線端末１０の構成を示すブロック図である。
【図７】背景技術１に係る広告情報の送信方法について説明するための図である。
【図８】背景技術２に係る広告情報の送信方法について説明するための図である。
【図９】第２実施形態に係る広告情報の送信方法について説明するための図である。
【図１０】第２実施形態に係る通信システムの動作を示すシーケンス図である。
【図１１】比較例と実施例との比較結果を説明するための図である。
【符号の説明】
【０１４０】
１０・・・無線端末、１１・・・受信部、１２・・・送信部、１３・・・広告用メモリ、１４・・・表示部、２０・・・無線基地局、２１・・・受信部、２２・・・送信バッファ、２３・・・トラフィック量決定部、２４・・・属性情報判定部、２５・・・広告情報記憶部、２６・・・広告情報選択部、２７・・・送信部、３０・・・ネットワーク、４０・・・情報配信サーバ
【図１】
2009100056.tif 000003
【図２】
2009100056.tif 000004
【図３】
2009100056.tif 000005
【図４】
2009100056.tif 000006
【図５】
2009100056.tif 000007
【図６】
2009100056.tif 000008
【図７】
2009100056.tif 000009
【図８】
2009100056.tif 000010
【図９】
2009100056.tif 000011
【図１０】
2009100056.tif 000012
【図１１】
2009100056.tif 000013